(57)【特許請求の範囲】
【請求項１】
柔軟性を有する帯状のベルトクリップ本体の両端を、取付け手段によりケースに取付けると共に、上記ベルトクリップ本体に設けた係止手段をケース側に設けた係止手段に係脱自在に係止することにより、上記ベルトクリップ本体に手を挿入するための空間を、またベルトクリップ本体とケースの間に腰ベルトを挿入するための空間を形成すると共に、前記ベルト本体側の前記係止手段を、予め壁などに取付けた保持部材の係止手段に係止することにより、前記ケースに収容する電子機器が壁などに引掛けられるように構成したことを特徴とする電子機器のベルトクリップ。
【発明の詳細な説明】
【０００１】
【発明の属する技術分野】
この発明は携帯電話のような電子機器を携帯する際に使用する電子機器のベルトクリップに関する。
【０００２】
【従来の技術】
従来電子機器を携帯する場合、例えば特開平８−３２２６２９号公報に記載されているような携帯用ケースを使用することが多い。
【０００３】
上記公報の携帯用ケースは、図１０に示すように電子機器を収容する収容部ａの裏側に、上端側が収容部ａに固着された舌片状の係着手段ｂを設けたもので、この係着手段ｂを腰ベルトの内側へ差し込んで先端部に設けた面ファスナｃを収容部ａ側の面ファスナｄに係止することにより、電子機器を手に持たずに携帯できるようになっている。
【０００４】
【発明が解決しようとする課題】
上記従来の携帯用ケースでは、収容部ａに収容した電子機器を手に持って使用する場合、収容部ａの外側面を手で把持した状態で操作部ｅを操作するが、収容部ａに手の掛る部分がないため、特に歩きながら電子機器を操作するような場合、誤って電子機器を落下させ、破損するなどの不具合があった。
【０００５】
この発明はかかる従来の不具合を改善するためになされたもので、使用時安定した状態で電子機器を保持することができる電子機器のベルトクリップを提供することを目的とするものである。
【０００６】
【課題を解決するための手段】
この発明は上記目的を達成するため、柔軟性を有する帯状のベルトクリップ本体の両端を、取付け手段によりケースに取付けると共に、ベルトクリップ本体に設けた係止手段をケース側に設けた係止手段に係脱自在に係止することにより、ベルトクリップ本体に手を挿入するための空間を、またベルトクリップ本体とケースの間に腰ベルトを挿入するための空間を形成すると共に、ベルト本体側の係止手段を、予め壁などに取付けた保持部材の係止手段に係止することにより、ケースに収容する電子機器が壁などに引掛けられるように構成したもので、ベルトクリップに手を挿入した状態で電子機器を保持できるために、電子機器を操作中に誤って落下させるなどの不具合を解消することができる。
【０００７】
【発明の実施の形態】
この発明の請求項１に記載の発明は、柔軟性を有する帯状のベルトクリップ本体の両端を、取付け手段によりケースに取付けると共に、ベルトクリップ本体に設けた係止手段をケース側に設けた係止手段に係脱自在に係止することにより、ベルトクリップ本体に手を挿入するための空間を、またベルトクリップ本体とケースの間に腰ベルトを挿入するための空間を形成すると共に、ベルト本体側の係止手段を、予め壁などに取付けた保持部材の係止手段に係止することにより、ケースに収容する電子機器が壁などに引掛けられるように構成したものである。
【０００８】
上記構成により、ベルトクリップ本体とケースの間の空間に腰ベルトを挿入することにより、腰ベルトに電子機器を挿入して携帯することができると共に、ベルトクリップ本体の空間に手を挿入して電子機器を把持することにより、電子機器の操作中誤って電子機器を落下させて破損するなどの不具合を解消することができる。
【００１２】
また、上記構成により、車内や室内の壁などに電子機器を引掛けて使用したり、保管することができる。
【００１３】
（実施の形態１）
この発明の実施の形態１を図１ないし図７に示す図面を参照して詳述する。
【００１４】
この発明のベルトクリップは、電子機器の筐体に直接取付けて使用してもよいが、実施の形態では、電子機器を携帯するとき使用する携帯用ケースに取付けた場合について説明する。
【００１５】
図１はケースにベルトクリップ本体を取付けた状態の斜視図、図２は同外した状態の側面図、図３は保持部材の斜視図、図４は同側面図である。
【００１６】
これら図において１は電子機器を収容するケースで、上部が開口した収容部１ａを有しており、皮や布地、塩化ビニールなどの柔軟な素材により形成されている。
【００１７】
２はベルトクリップ本体で、上記ケース１と同様な材質により形成された帯状体よりなり、両端部を重ねた状態で縫製やリベット、ねじなどの取付け手段３により上記ケース１の裏面側上部に取付けられている。
【００１８】
上記ベルトクリップ本体２にはケース１を把持する際、手を挿入するのに十分な空間４が形成されている。
【００１９】
またベルトクリップ本体２の内側部分には、ホックなどの係止手段５の一方５ａが取付けられていると共に、係止手段５の他方５ｂはケース１の裏面側下部に取付けられていて、ベルトクリップ本体２側の係止手段５ａを、ケース１側の係止手段５ｂに係止することにより、内側のベルトクリップ本体２とケース１の裏面間に腰ベルト（図示せず）を挿通するための空間６が形成されるようになっている。
【００２０】
一方７は電子機器を車内や、室内の壁面に引掛けて使用する場合に使用する保持部材で、樹脂や金属、布地などにより板状に形成されており、表面のほぼ中央に、上記ベルトクリップ本体２側に設けられた係止手段５ｂが係脱自在なホックなどの係止手段５ｃが設けられていると共に、係止手段５ｃの周辺には、保持部材７をねじなどの固着具（図示せず）で壁などに固定するための取付け孔７ａが開口されている。
【００２１】
また保持部材７の裏面には両面テープや面ファスナなど（図示せず）が取付けられていて、固着具などを使用しなくとも、保持部材７を壁などに取付けられるようになっている。
【００２２】
次に上記構成されたベルトクリップの使用方法を図５ないし図７を参照して説明すると、収容部１ａに電子機器を収容したケース１を腰ベルトに装着して携帯する場合は、図５に示すようにベルトクリップ本体２の係止手段５ａとケース１の係止手段５ｂを係合し、ケース１の裏面とベルトクリップ本体２の間に形成された空間６に腰ベルトを挿入して、腰ベルトへ装着すればよく、予め係止手段５ａ、５ｂを外した状態でベルトクリップ本体２の先端を腰ベルトの内側へ挿入した後、係止手段５ａ、５ｂを係止するようにすれば、腰ベルトを外さずに装着することもできる。
【００２３】
また係止手段５ａ、５ｂを外してベルトクリップ本体２を図６に示すように伸ばすことにより、ベルトクリップ本体２をストラップとして使用することもできる。
【００２４】
次に電子機器を手に持って使用する場合は、係止手段５ａ、５ｂを係止した状態でベルトクリップ本体２の空間４へ手を差し込み、この状態でケース１を把持すればよく、ベルトクリップ本体２に手を掛けた状態で電子機器の操作部を操作することができるため、操作中に電子機器を取り落すことがないと共に、操作も安定した状態で行うことができる。
【００２５】
また電子機器を車内や室内の壁などに引掛けておく場合は、予め壁などに取付けた保持部材７の係止手段５ｃに、図７に示すようにベルトクリップ本体２側の係止手段５ａを係止すればよい。
【００２６】
（実施の形態２）
図８及び図９はベルトクリップ本体２の取付け手段３を紐状物により形成して、ベルトクリップ本体２がケース１より簡単に着脱できるようにした実施の形態を示すもので、ベルトクリップ本体２の端部側に、繊維などにより形成された紐状物８がループ状に取付けられており、ケース１側にも、上記紐状物８と同材質で、かつ長さの短い紐状物９の両端が固着されている。
【００２７】
これら紐状物８、９は縫い付けやリベットなどの固着手段によりベルトクリップ本体２とケース１にそれぞれ取付けられていて、ベルトクリップ本体２側の紐状物８を、ケース１側の紐状物９に図８に示すように巻き付けることにより、ケース１にベルトクリップ本体２が簡単に取付けられるようになっている。
【００２８】
なおその他の部分は上記実施の形態１と同様なので説明は省略する。
【００２９】
また上記実施の形態１、２では、何れも電子機器を収容するケース１にベルトクリップ本体２を取付けるようにしたが、電子機器のケースに直接ベルトクリップ本体２を取付けても、同様な効果が得られる。
【００３０】
【発明の効果】
この発明は以上詳述したように、電子機器を携帯する際腰ベルトに取付けるベルトクリップ本体に、手を挿入するための空間と、腰ベルトを挿入するための空間をそれぞれ設けたことから、腰ベルトを挿入する空間に腰ベルトを挿入することにより、電子機器を腰ベルトに装着して携帯することができる。
【００３１】
また電子機器を手に持って使用する場合、ベルトクリップ本体の手を挿入する空間に手を挿入してケースを把持することにより、ベルトクリップ本体に手がかかるため、電子機器を安定した状態で保持することができ、これによって電子機器の操作中に誤って電子機器を落下させて破損するなどの不具合を解消することができる。
【００３２】
また係止手段を外すことにより、ベルトクリップ本体をストラップとして使用できると共に、車内や室内の壁などに予め取付けた保持部材の係止手段にベルトクリップ側の係止手段を係止することにより、壁などに電子機器を引掛けて使用したり、保管することもできる。
【図面の簡単な説明】
【図１】この発明の実施の形態１になる電子機器のベルトクリップをケースに取付けた状態の斜視図
【図２】この発明の実施の形態１になる電子機器のベルトクリップをケースより外した状態の側面図
【図３】この発明の実施の形態１になる電子機器のベルトクリップを引掛けるための保持部材の斜視図
【図４】同側面図
【図５】この発明の実施の形態１になる電子機器のベルトクリップの使用状態を示す説明図
【図６】この発明の実施の形態１になる電子機器のベルトクリップの使用状態を示す説明図
【図７】この発明の実施の形態１になる電子機器のベルトクリップの使用状態を示す説明図
【図８】この発明の実施の形態２になる電子機器のベルトクリップを示す斜視図
【図９】同要部の拡大図
【図１０】従来の電子機器のグリップベルトを示す斜視図
【符号の説明】
１                ケース
１ａ              収容部
２                ベルトクリップ本体
３                取付け手段
４                空間
５                係止手段
５ａ、５ｂ、５ｃ  係止手段
６                空間
７                保持部材
７ａ              取付け孔
【図１】
0003720168.tif 000002
【図２】
0003720168.tif 000003
【図３】
0003720168.tif 000004
【図４】
0003720168.tif 000005
【図５】
0003720168.tif 000006
【図６】
0003720168.tif 000007
【図７】
0003720168.tif 000008
【図８】
0003720168.tif 000009
【図９】
0003720168.tif 000010
【図１０】
0003720168.tif 000011